(57)【特許請求の範囲】
【請求項１】
水平に延びる大棟と、この大棟の端部から斜め下方に延びる下り棟とを有するとともに、太陽エネルギー変換機能を有するパネルが屋根面に複数配列される太陽電池付屋根であって、
前記パネルとして、台形状に形成された補助パネルと、矩形状に形成された主パネルとが設けられ、
前記補助パネルは、前記屋根面の傾斜方向に沿って延びるとともに対向配置された長さの異なる第一および第二の縦枠と、当該屋根面の傾斜方向と直交する横枠と、前記下り棟に沿って延びる斜め枠とを備え、
前記補助パネルの第一の縦枠は、前記主パネルの前記屋根面の傾斜方向に沿って延びる縦枠よりも長く形成されており、
前記補助パネルは、前記下り棟に沿って複数配列され、その屋根面の残りの部分に前記主パネルが複数配列されている
ことを特徴とする太陽電池付屋根。
【請求項２】
請求項１記載の太陽電池付屋根において、前記補助パネルは、少なくとも一辺が前記屋根面の傾斜方向に沿って延びていることを特徴とする太陽電池付屋根。
【請求項３】
請求項１または請求項２に記載の太陽電池付屋根において、前記屋根面には、前記パネルが設置されるパネル設置領域が設定され、この領域内に支持レールが設けられ、この支持レールは、前記屋根面の傾斜方向に沿って延び、前記パネルは、前記支持レールに支持されていることを特徴とする太陽電池付屋根。
【請求項４】
請求項１ないし請求項３のいずれかに記載の太陽電池付屋根において、前記補助パネルは、前記主パネルの上端部分に設けられ、前記主パネルの両端縁を支持する支持レールが上方に延長され、その延長部分に前記補助パネルの第一および第二の縦枠が支持されていることを特徴とする太陽電池付屋根。
【請求項５】
請求項１ないし請求項４のいずれかに記載の太陽電池付屋根において、当該太陽電池付屋根は、水平に延びる大棟と、この大棟の端部から斜め下方に延びる下り棟とを有する寄棟式とされていることを特徴とする太陽電池付屋根。
【請求項６】
請求項１ないし請求項５のいずれかに記載の太陽電池付屋根において、当該太陽電池付屋根の前記パネルが取り付けられる下地面の表面には、防水シートが貼り付けられ、この防水シートの上面に前記パネルが取り付けられていることを特徴とする太陽電池付屋根。
【請求項７】
請求項１ないし請求項６のいずれかに記載の太陽電池付屋根において、前記下り棟に沿って、前記補助パネルの斜辺の上方を覆う棟カバーが設けられていることを特徴とする太陽電池付屋根。
【発明の詳細な説明】
【０００１】
【発明の属する技術分野】
本発明は、水平に延びる大棟と、この大棟の端部から斜め下方に延びる下り棟とを有するとともに、太陽エネルギー変換機能を有するパネルが屋根面に複数配列される太陽電池付屋根に関する。
【０００２】
【背景技術】
従来より、太陽エネルギーを変換して電気や温水として利用する太陽電池や太陽熱コレクタ等の太陽エネルギー変換装置があり、この装置では、太陽エネルギー変換機能を有する太陽エネルギー変換パネルが屋根に設置されている。
この太陽エネルギー変換パネル、例えば、太陽電池パネルは、所定数のソーラーセルが収められた防水ケース周縁に縦枠および横枠を取り付け、屋根下り方向に沿って屋根下地材に固定されたレールに縦枠が支持される構造である（特開平７−１８０３１０号公報参照）。
太陽電池パネルは、温度上昇に伴う発電効率の低下を防止するため、放熱する必要があり、太陽電池パネルと屋根下地材との間の空間は放熱を促進するための通気層とされる。
【０００３】
この太陽電池パネルは、発電量を大きくするために、屋根面全面に配置されることが好ましい。
太陽電池パネルは平面矩形状であるため、屋根面が矩形状である切妻タイプの屋根に利用されている。
寄せ棟タイプや入母屋タイプの屋根等、屋根面の一部が屋根下り方向と鋭角をなす傾斜辺（下り棟）を有する屋根に平面矩形状の太陽電池パネルを設置すると、パネルが設置できない三角形のデッドスペースが生じるため、屋根の外観上好ましくない。
【０００４】
同様に、ドーマが設けられた屋根では、ドーマと屋根との境界部分に屋根下り方向と鋭角をなす傾斜辺が形成されるため、平面矩形状のパネルが設置できない三角形のデッドスペースが生じることになり、この屋根に平面矩形状の太陽電池パネルを設置することは、屋根の外観を損なうことになる。
そこで、従来では、平面矩形状の太陽電池パネルに隣接して平面矩形状ではない異形（略三角形）の太陽電池パネルを配置した屋根構造がある（特開平７−９０９３９号公報参照）。
【０００５】
【発明が解決しようとする課題】
特開平７−９０９３９号公報で示される従来例では、平面矩形状及び平面異形の太陽電池パネルを屋根に設ける構造であるが、これらのパネルを屋根に設置する具体的な構造が開示されていない。
そのため、防水処理された屋根の上に太陽電池パネルを設置することが考えられるが、取付金具が露出したり、屋根に荷重をかけることになり、好ましくない。
そこで、従来より、外観の良い寄せ棟屋根等において、屋根材の上に設置されるのではなく、屋根材として太陽エネルギー変換パネルが組み込まれた屋根構造体が望まれている。
【０００６】
本発明の目的は寄せ棟屋根等の特殊形状の屋根において、太陽エネルギー変換機能を有するパネルを設置する際に、屋根の全面が覆われて外観が良好になるとともに、パネルが屋根材として機能する屋根構造体を提供することにある。
【０００７】
【課題を解決するための手段】
本発明は、図面をも参照して説明すると、水平に延びる大棟と、この大棟の端部から斜め下方に延びる下り棟１Ａとを有するとともに、太陽エネルギー変換機能を有するパネルが屋根面１に複数配列される太陽電池付屋根であって、前記パネルとして、台形状に形成された補助パネル１５と、矩形状に形成された主パネル４とが設けられ、前記補助パネル１５は、前記屋根面１の傾斜方向に沿って延びるとともに対向配置された長さの異なる第一および第二の縦枠１９，２１と、当該屋根面１の傾斜方向と直交する横枠８と、前記下り棟１Ａに沿って延びる斜め枠２０とを備え、前記補助パネル１５の第一の縦枠１９は、前記主パネル４の前記屋根面１の傾斜方向に沿って延びる縦枠７よりも長く形成されており、前記補助パネル１５は、前記下り棟１Ａに沿って複数配列され、その屋根面１の残りの部分に前記主パネル４が複数配列されていることを特徴とする。
【０００８】
以上において、前記補助パネル１５は、少なくとも一辺が前記屋根面１の傾斜方向に沿って延びていることが望ましい。
【０００９】
また、前記屋根面１には、前記パネル４，１５が設置されるパネル設置領域が設定され、この領域内に支持レール３が設けられ、この支持レール３は、前記屋根面１の傾斜方向に沿って延び、前記パネル４，１５は、前記支持レール３に支持されていることが望ましい。
【００１２】
さらに、前記補助パネル１５は、前記主パネル４の上端部分に設けられ、前記主パネル４の両端縁を支持する支持レール３が上方に延長され、その延長部分に前記補助パネル１５の第一および第二の縦枠１９，２１が支持されていることが望ましい。
【００１３】
また、当該太陽電池付屋根は、水平に延びる大棟と、この大棟の端部から斜め下方に延びる下り棟１Ａとを有する寄棟式とされていることが望ましい。
【００１４】
さらに、当該太陽電池付屋根の前記パネル４，１５が取り付けられる下地面の表面には、防水シート２Ａが貼り付けられ、この防水シート２Ａの上面に前記パネルが取り付けられていることが望ましい。
【００１５】
また、前記下り棟１Ａに沿って、前記補助パネル１５の斜辺の上方を覆う棟カバーが設けられていることが望ましい。
【００１６】
前記目的に対し、本発明は特殊形状の屋根の下地材全体を平面矩形状の太陽エネルギー変換パネルと平面異形形状のパネルとで覆い、これらのパネルで防水面を形成して前記目的を達成しようとするものである。
具体的には、本発明の屋根構造体は、添付した図面を参照して説明すると、屋根面１の一部が屋根下り方向と鋭角をなす傾斜辺１Ａを有する屋根下地材２に、太陽エネルギー変換機能を有する平面矩形状の主パネル４と、この主パネル４に隣接配置された補助パネル５，１５とを取り付けて屋根面１を覆う屋根構造体であって、これらの主パネル４及び補助パネル５，１５は前記屋根下地材２の上で防水面を形成し、前記補助パネル５，１５は、前記主パネル４に接合され屋根下り方向に沿って延びる第１辺縁７，１９と、この第１辺縁７，１９と接続され前記傾斜辺１Ａと対応する第２辺縁９，２０とを備えた平面異形形状を有することを特徴とする。
【００１７】
この構成の本発明では、屋根下地材２の上において、平面矩形状の主パネル４を屋根中央部分に配置し、屋根の傾斜辺１Ａ近傍に補助パネル５，１５を配置し、これらのパネル４，５，１５で屋根の全面を覆う。補助パネル５，１５を配置する際、第１辺縁７，１９を隣合う主パネル４の縁７に合わせ、第２辺縁９，２０を傾斜辺１Ａに合わせる。
これにより、寄せ棟等の特殊形状の屋根にはパネル４，５，１５が配置されていないデッドスペースがなくなり、外観が良好となる。その上、これらのパネル４，５，１５が防水面を形成しているため、屋根下地材２に雨が漏れることがない。
【００１８】
ここで、本発明においては、前記主パネル４及び補助パネル５，１５は前記屋根下地材２の上に互いに所定間隔離れて固定された複数のレール３に支持されている構造でもよい。
この構造では、レール３によってパネル４，５，１５が屋根下地材２に確実に取り付けられるだけでなく、レール３に樋を形成することにより、屋根の防水処理を確実に行える。
また、前記補助パネル５，１５は、太陽エネルギー変換機能を有する太陽エネルギー変換パネル、例えば、太陽電池パネルであってもよい。
この構造では、主パネル４だけでなく、補助パネル５，１５も太陽エネルギー変換機能を有することから、屋根全面という広い面積で太陽エネルギーを有効に利用できる。
【００１９】
これに対して、前記補助パネル５，１５は、その表面外観が前記主パネル４の表面外観と略同じであり、かつ、太陽エネルギー変換機能を有さないダミーパネルとしてもよい。
この構造では、太陽エネルギー変換パネルに比べてダミーパネルが安価に製造できるため、屋根全面に太陽エネルギー変換パネルを配置した場合に比べて屋根の施工コストを低くすることができる。
【００２０】
また、本発明では、前記補助パネル５，１５は平面略三角形、平面略台形、その他、平面矩形状以外の形状である。
さらに、前記主パネル４及び補助パネル５，１５と前記屋根下地材２との間の空間から通気層１４が形成され、前記補助パネル５，１５は、前記第１辺縁７，１９を前記レール３に支持するための第１支持部７Ａと、前記第２辺縁９，２０を前記レール３と隣り合うレール３に支持するための第２支持部９Ａ，２１Ａとを備えた構造でもよい。
この構造では、補助パネル５，１５と屋根下地材２との間に略パネル幅寸法の通気層１４が形成されるため、太陽エネルギー変換機能を有する主パネル４及び補助パネル５，１５の放熱を大きなスペースの通気層１４で行うことができる。
【００２１】
【発明の実施の形態】
以下、本発明の実施の形態を図面に基づいて説明する。ここで、各実施形態中、同一構成要素は同一符号を付して説明を省略もしくは簡略にする。
図１から４には、本発明の第１実施形態が示されている。
図１は第１実施形態の全体構成が示された斜視図である。図１において、第１実施形態は、屋根面１の一部が屋根下り方向と鋭角をなす下り棟（傾斜辺）１Ａを有する寄せ棟屋根の屋根構造体であり、屋根下地材２と、この屋根下地材２の屋根下り方向に沿って互いに所定間隔離れて配置された複数のレール３と、これらのレール３にそれぞれ取り付けられた平面矩形状の主パネル４及び平面略直角三角形の補助パネル５とを備え、これらのパネル４，５及びレール３から防水面を形する構造である。
【００２２】
主パネル４の全体構成が図２に示されている。図２において、主パネル４は太陽エネルギーを電気に変換する機能を有する太陽電池パネルであり、所定数のソーラーセルを収めた平板状の防水ケース６と、このケース６の周囲に取り付けられた縦枠７及び横枠８とを備えた構造である。
縦枠７は屋根の下り方向に沿って配置されるものであり、下方の部分がレール３に支持するための支持部７Ａとなっており、この支持部７Ａには外側に突出する固定用鍔部７Ｂが形成されている。
【００２３】
横枠８のうち上方に配置される上枠８Ａと下方に配置される下枠８Ｂとから構成されている。
上枠８Ａは、上方に隣り合う主パネル４の下枠８Ｂに図示しないパッキン部材を介して支持される支持片８Ｃが形成されている。
下枠８Ｂは下方に隣り合う主パネル４の上枠８Ａの上面を覆うカバー部８Ｄが形成されている。
【００２４】
補助パネル５の全体構成が図３に示されている。図３（Ａ）は補助パネル５の斜視図であり、図３（Ｂ）は補助パネル５の平面図である。
これらの図において、補助パネル５は、主パネル４と同様に、太陽エネルギーを電気に変換する機能を有する太陽電池パネルであり、所定数のソーラーセルを収めた平面略三角形の防水ケース６と、このケース６の周囲に取り付けられた縦枠７、横枠８及び斜め枠９とを備えた構造である。
【００２５】
縦枠７は主パネル４の縦枠７に接合され屋根下り方向に沿って延びる第１辺縁を形成するものである。この縦枠７の下方の部分がレール３に支持するための第１支持部７Ａとなっており、この第１支持部７Ａには外側に突出する固定用鍔部７Ｂが形成されている。
補助パネル５の縦枠７は主パネル４の縦枠７と同じ長さを有する。
【００２６】
横枠８は主パネル４の下枠８Ｂと同じ構造及び同じ長さを有するものであり、カバー部８Ｄが形成されている。
斜め枠９は第１辺縁である縦枠７と上端部が接続され屋根の下り棟１Ａと対応する第２辺縁を形成するものである。
斜め枠９と横枠８とが交差する角部は、その下方の部分９Ａが第２辺縁である横枠８をレール３に支持するための第２支持部とされている。
【００２７】
これらのパネル４，５と屋根下地材２との取付構造が図４に示されている。図４において、屋根下地材２は合板等の面材から形成される野地板であり、その表面にアスファルトルーフィング等のシート材２Ａが貼付されている。
レール３は中心上方が開口となった断面コ字型の樋部３Ａと、この樋部３Ａの下方に一体的に設けられた断面四角形のパイプ部３Ｂとを有するものである。
樋部３Ａはパネル４，５の支持部７Ａ，９Ａを受けるとともに、パネル４，５に降り注いだ雨水等を集め軒に排水する構造である。
【００２８】
樋部３Ａの底部には支持部７Ａ，９Ａが載せられるとともに、支持部７Ａ，９Ａの固定用鍔部７Ｂを貫通したタッピングねじ１０が螺合されている。
パイプ部３Ｂの側面には取付用鍔部３Ｃが形成され、この取付用鍔部３Ｃを貫通するねじ１１を屋根下地材２に螺合することにより、レール３の屋根下地材２への固定がされる。
なお、符号１２及び１３はレール３から屋根下地材２への漏水を防止するためのガスケット、パッキング部材である。
主パネル４及び補助パネル５と屋根下地材２との間の空間から通気層１４が形成されている。この通気層１４は軒先及び棟部分に開口されており、棟部分には雨水が通気層１４に入り込まないようにするための図示しない防水機構が設けられている。
【００２９】
この構成の第１実施形態では、屋根下地材２に複数のレール３を互いに所定間隔（略パネル４，５の幅寸法）離して取り付け、平面矩形状の主パネル４を屋根中央部分に複数並べて配置し、屋根の下り棟１Ａの近傍に補助パネル５を並べて配置して屋根の全面を覆う。
補助パネル５を配置する際、第１辺縁である縦枠７を隣合う主パネル４の縦枠７に合わせ、第２辺縁である斜め枠９を下り棟１Ａに合わせる。
これらのパネル４，５をレール３に取り付けるため、パネル４，５の支持部７Ａ，９Ａをレール３にタッピングねじ１０で固定する。
【００３０】
従って、第１実施形態では、▲１▼屋根面１の一部が屋根下り方向と鋭角をなす傾斜辺１Ａを有する屋根下地材２に、太陽エネルギー変換機能を有する平面矩形状の主パネル４と、この主パネル４に隣接配置された補助パネル５とを取り付け、これらの主パネル４、補助パネル５及びレール３は屋根下地材２の上で防水面を形成し、補助パネル５は、主パネル４に接合され屋根下り方向に沿って延びる第１辺縁７と、この第１辺縁７と接続され傾斜辺１Ａと対応する第２辺縁９とを備えた平面異形形状であるから、寄せ棟の屋根にはパネル４，５が配置されていないデッドスペースがなくなり、外観が良好となり、その上、これらのパネル４，５が防水面を形成しているため、屋根材として機能し、屋根下地材２に雨が漏れることがない。
【００３１】
また、第１実施形態では、▲２▼主パネル４及び補助パネル５は屋根下地材２の上に互いに所定間隔離れて固定された複数のレール３に支持されているから、レール３によってパネル４，５が屋根下地材２に確実に取り付けられるだけでなく、レール３に樋部３Ａが形成されるため、隣り合うパネル４，５の間から流入する雨水が確実に樋部３Ａを通って軒先へ排出される。
さらに、▲３▼補助パネル５は、主パネル４と同様に、太陽電池パネルから構成されるから、屋根全面で太陽エネルギーを受けることができるため、発電量を大きなものにし、太陽エネルギーを有効に利用できる。
【００３２】
さらに、▲４▼主パネル４及び補助パネル５と屋根下地材２との間の空間から通気層１４を形成したから、この通気層１４でパネル４，５の放熱を行うことができるので、温度上昇に伴うエネルギー変換効率の低下を防止することができる。特に、補助パネル５は、第１辺縁である縦枠７をレール３に支持するための第１支持部７Ａと、第２辺縁である斜め枠９をこのレール３と隣り合うレール３に支持するための第２支持部９Ａとを備えた構造としたから、補助パネル５と屋根下地材２との間の通気層１４を大きな面積にできるので、補助パネル５の放熱を促進してエネルギー変換効率の低下を防止することができる。
【００３３】
なお、第１実施形態では、補助パネル５の全て又は一部をダミーパネルとしてもよい。つまり、縦枠７、横枠８及び斜め枠９に取り付けられる防水ケース６を、アクリル、ガラス等の板材から形成し、この板材の表面外観（形状、色彩）を主パネル４の防水ケース６と略同じにする。
補助パネル５を太陽電池パネルから構成した場合、平面略三角形の太陽電池パネルは比較的設置面積の小さいデッドスペースに配置されることから、そのサイズも小さくなる。そのため、補助パネル５の発電量で得られるメリットに比べて太陽電池パネルの種類並びに数を増やすことに伴うデメリットが大きくなるという不都合がある。
これに対して、▲５▼補助パネル５をダミーパネルとすれば、太陽電池パネルに比べて製造コストが格段と低いため、前述の▲１▼▲２▼▲４▼の効果に加えて屋根の施工コストを低く抑えることができるという効果を奏することができる。
【００３４】
次に、本発明の第２実施形態を図５及び図６に基づいて説明する。第２実施形態は補助パネルの平面形状が第１実施形態と相違するもので、他の構成は第１実施形態と同じである。
図５は第２実施形態の全体構成を示す正面図である。図５において、第２実施形態は、屋根面１の一部が下り棟（傾斜辺）１Ａを有する寄せ棟屋根の屋根構造体であり、前記屋根下地材２（図１参照）と、この屋根下地材２の屋根下り方向に沿って互いに所定間隔離れて配置された複数の前記レール３と、これらのレール３にそれぞれ取り付けられた平面矩形状の前記主パネル４及び平面略台形の補助パネル１５を備え、これらのパネル４，１５及びレール３から防水面を形する構造である。
屋根の棟部分には長尺状の棟カバー１６が主パネル４にかからないように取り付けられている。屋根の下り棟１Ａには必要に応じて長尺状の棟カバー（図示せず）が取り付けられている。
【００３５】
補助パネル１５の全体構成が図６に示されている。図６（Ａ）は補助パネル１５の斜視図であり、図６（Ｂ）は補助パネル１５の平面図である。
これらの図において、補助パネル１５は、主パネル４と同様に、太陽エネルギーを電気に変換する機能を有する太陽電池パネルであり、所定数のソーラーセルを収めた平面略台形の防水ケース１８と、このケース１８の周囲に取り付けられた長さ寸法の長い第１の縦枠１９、前記横枠８、斜め枠２０及び長さ寸法の短い第２の縦枠２１を備えた構造である。
【００３６】
第１の縦枠１９は主パネル４の縦枠７に接合され屋根下り方向に沿って延びる第１辺縁を形成するものである。この縦枠１９の下方の部分がレール３に支持するための第１支持部７Ａとなっており、この第１支持部７Ａには外側に突出する固定用鍔部７Ｂが形成されている。
第１の縦枠１９は主パネル４の縦枠７より長さ寸法が長い。
横枠８は主パネル４の下枠８Ｂと同じ構造及び同じ長さを有するものであり、カバー部８Ｂが形成されている。
【００３７】
斜め枠２０は第１辺縁である縦枠１９と上端部が接続され屋根の下り棟１Ａと対応する第２辺縁を形成するものである。
第２の縦枠２１は、その下方の部分２１Ａが第２辺縁である横枠８をレール３に支持するための第２支持部とされている。
補助パネル１５と屋根下地材２との間並びに主パネル４と屋根下地材２との間には図示しない通気層がそれぞれ形成されている。
【００３８】
この構成の第２実施形態では、主パネル４及び補助パネル１５のレール３への取付方法は第１実施形態と同じである。
従って、第２実施形態によれば、第１実施形態の▲１▼から▲４▼の作用効果を奏することができる他に、▲６▼補助パネル１５を平面略台形としたから、互いに平行で比較的長い寸法の縦枠１９，２１の下部でレール３に支持されるため、補助パネル１５のレール３への取り付けを確実なものにできる。その上、屋根の棟に第１棟カバー１６を取り付ける際に、主パネル４にかからないので、主パネル４の発電効率が低下しない。しかも、この場合、補助パネル１５の平面形状を略台形としているから、屋根の下り棟１Ａぎりぎりまで補助パネル１５を張り込むことができる。従って、下り棟１Ａに棟カバーを仮に取り付ける場合であっても、棟カバーの幅寸法を小さくすることができる。
【００３９】
なお、第２実施形態では、第１実施形態と同様に、補助パネル１５の全て又は一部をダミーパネルとしてもよい。つまり、縦枠１９，２１、横枠８及び斜め枠２０に取り付けられる防水ケース１８を、アクリル、ガラス等の板材から形成し、この板材の表面外観（形状、色彩）を主パネル４の防水ケース９と略同じにする。
▲５▼補助パネル１５をダミーパネルとすれば、太陽電池パネルに比べて製造コストが格段と低いため、前述の▲１▼▲２▼▲４▼▲６▼の効果に加えて屋根の施工コストを低く抑えることができるという効果を奏することができる。
【００４０】
以上、第１実施形態及び第２実施形態について説明したが、これらの実施形態に本発明は限定されるものではなく、本発明の目的を達成できる範囲での変形、改良等は本発明に含まれるものである。
例えば、前記各実施形態では寄せ棟屋根に適用したが、本発明では、図７に示されるとおり、ドーマ１Ｂが設けられドーマ１Ｂと屋根面１との境界部分に屋根下り方向と鋭角をなす傾斜辺１Ｃが形成された屋根に適用することができる。
即ち、図７に示されるとおり、主パネル４と平面略三角形の補助パネル５とをレール３の上に並べて配置することにより、ドーマ１Ｂを有する屋根でも、隙間なく、屋根面１をパネル４，５で覆うことができる。
【００４１】
また、前記各実施形態では、主パネル４及び補助パネル５，１５をレール３を介して屋根下地材２に取り付け、これらのパネル４，５，１５と屋根下地材２との間で通気層１４を形成したが、本発明では、屋根下地材２に直接パネル４，５，１５を取り付け、あるいは、レール３以外の連結部材、例えば、複数のブロックを介してパネル４，５，１５を取り付けるものでもよい。屋根下地材２に直接パネル４，５，１５を取り付ける場合には、隣り合うパネル４，５，１５を防水パッキン等で介装し、これらのパネル４，５，１５で防水面を形成する。
さらに、主パネル４、補助パネル５，１５は、太陽エネルギーを変換して温水として利用する太陽熱コレクタであってもよい。
【００４２】
【発明の効果】
このような本発明によれば、屋根面の一部が屋根下り方向と鋭角をなす傾斜辺を有する屋根下地材に、太陽エネルギー変換機能を有する平面矩形状の主パネルと、この主パネルに隣接配置された補助パネルとを取り付け、これらの主パネル及び補助パネルは屋根下地材の上で防水面を形成し、補助パネルは、主パネルに接合され屋根下り方向に沿って延びる第１辺縁と、この第１辺縁と接続され傾斜辺と対応する第２辺縁とを備えた平面異形形状であるから、寄せ棟等の特殊形状の屋根にはパネルが配置されていないデッドスペースがなくなり、外観が良好となり、その上、これらのパネルが防水面を形成しているため、屋根材として機能し、屋根下地材に雨が漏れることがない。
【図面の簡単な説明】
【図１】本発明の第１実施形態の全体構成を示す斜視図である。
【図２】主パネルを示す斜視図である。
【図３】（Ａ）は補助パネルを示す斜視図であり、（Ｂ）は補助パネルを示す平面図である。
【図４】パネルと屋根下地材との取付構造を示す断面図である。
【図５】本発明の第２実施形態の全体構成を示す正面図である。
【図６】（Ａ）は補助パネルを示す斜視図であり、（Ｂ）は補助パネルを示す平面図である。
【図７】本発明の変形例の全体構成を示す斜視図である。
【符号の説明】
１      屋根面
１Ａ，１Ｃ  傾斜辺
２      屋根下地材
３      レール
４      主パネル
５，１５  補助パネル
７，１９  第１辺縁
７Ａ    第１支持部
９，２０  第２辺縁
９Ａ，２１Ａ  第２支持部
１４    通気層
【図１】
0003618070.tif 000002
【図２】
0003618070.tif 000003
【図３】
0003618070.tif 000004
【図４】
0003618070.tif 000005
【図５】
0003618070.tif 000006
【図６】
0003618070.tif 000007
【図７】
0003618070.tif 000008